(57)【要約】【課題】印刷で得られた静止画によって印刷元の動画で表現される内容を容易に把握する。【解決手段】カメラ１００は動画を印刷対象として指定するとともに、印刷対象の動画対応づけられ、当該動画を生成するために用いられた複数の元画像を特定する情報を含む構成情報に基づいて印刷すべき素材画像特定して、素材画像と構成情報をサーバＰＣ１１０に送って印刷を指示する。サーバＰＣは構成情報に応じて印刷の結果得られる印刷物のページレイアウトを決定し、ページレイアウトに基づいて素材画像を配置して印刷データを生成する。【選択図】図１
2016081221.tif 000002
【特許請求の範囲】
【請求項１】
動画を印刷対象として指定する指定手段と、
前記指定手段で印刷対象に指定された動画に対応づけられている構成情報であって、当該動画を生成するために用いられた複数の元画像を特定する情報を含む構成情報に基づき、印刷すべき素材画像を特定する画像特定手段と、
前記画像特定手段で特定された前記素材画像と前記構成情報とを印刷制御装置に送って、前記印刷制御装置に印刷を指示する送信手段と、
を有することを特徴とする画像処理装置。
【請求項２】
前記元画像が動画である場合に、前記画像特定手段は、当該元画像としての動画から前記素材画像としての静止画を生成することを特徴とする請求項１に記載の画像処理装置。
【請求項３】
前記印刷制御装置で印刷可能な画像サイズに応じて前記素材画像を縮小する画像縮小手段を有し、
前記送信手段は前記画像縮小手段によって縮小された素材画像を前記印刷制御装置に送信することを特徴とする請求項１又は２に記載の画像処理装置。
【請求項４】
前記送信手段は、前記構成情報および前記素材画像を、ネットワークを介して前記印刷制御装置に送信することを特徴とする請求項１〜３のいずれか１項に記載の画像処理装置。
【請求項５】
複数の画像を用いて動画を生成する動画生成手段と、
前記動画生成手段で動画を生成するために用いられた前記元画像を特定する情報を含む構成情報を生成する構成情報生成手段とを有することを特徴とする請求項１〜４のいずれか１項に記載の画像処理装置。
【請求項６】
前記構成情報は、前記動画を生成した際に適用した効果種別を特定する情報を含んでいることを特徴とする請求項１〜５のいずれか１項に記載の画像処理装置。
【請求項７】
さらに撮像手段と、
前記撮像手段によりえられた画像を静止画又は動画として記録媒体に記録する記録手段とを有することを特徴とする請求項１〜６のいずれか１項に記載の画像処理装置。
【請求項８】
動画を生成した際に適用した効果種別を特定する情報を含む構成情報と、印刷すべき素材画像とを格納する格納手段と、
前記構成情報に含まれる効果種別を特定する情報に応じて、印刷物のページレイアウトを決定するレイアウト決定手段と、
前記ページレイアウトに基づいて前記素材画像を配置して印刷データを生成する印刷データ生成手段と、
を有することを特徴とする印刷制御装置。
【請求項９】
さらに、前記効果種別に応じて前記ページレイアウトを規定する情報を記憶する記憶手段を有することを特徴とする請求項８に記載の印刷制御装置。
【請求項１０】
画像処理装置から前記構成情報と前記素材画像とを受信する受信手段と、
前記印刷データ生成手段による印刷データの生成が完了した場合、又は印刷が完了した場合に、前記画像処理装置に通知を行う通知手段を有することを特徴とする請求項８又は９に記載の印刷制御装置。
【請求項１１】
前記印刷データ生成手段によって生成された印刷データを印刷プレビューとして前記画像処理装置に送るプレビュー送信手段を有することを特徴とする請求項１０に記載の印刷制御装置。
【請求項１２】
前記画像処理装置において前記印刷プレビューに応じて印刷レイアウトの変更又は前記素材画像の変更が行われると、当該変更に基づいて前記印刷データを編集する編集手段を有することを特徴とする請求項１１に記載の印刷制御装置。
【請求項１３】
前記画像処理装置において決済が行われた旨の決済完了通知を受けると、前記印刷データに応じて印刷を行う印刷制御手段を有することを特徴とする請求項１０〜１２のいずれか１項に記載の印刷制御装置。
【請求項１４】
前記構成情報には、動画を生成するために用いられた複数の元画像を特定する情報が含まれていることを特徴とする請求項８〜１３のいずれか１項に記載の印刷制御装置。
【請求項１５】
前記構成情報に前記素材画像をスクロール表示するための表示範囲が含まれていると、前記印刷データ生成手段は、前記表示範囲に対応する部分画像を印刷対象領域とすることを特徴とする請求項８〜１４のいずれか１項に記載の印刷制御装置。
【請求項１６】
前記効果種別には動画効果の種別および連写効果の種別があり、前記動画効果の種別又は前記連写効果の種別が存在すると、前記レイアウト決定手段は前記素材画像を所定の方向に並べて前記印刷物のページレイアウトを決定することを特徴とする請求項８〜１５のいずれか１項に記載の印刷制御装置。
【請求項１７】
前記効果種別には表示切り替え効果の種別があり、当該表示切り替え効果の種別が存在すると、前記レイアウト決定手段は前記素材画像を縮小して１ページ又は２ページに亘って所定の方向に並べて前記印刷物のページレイアウトを決定することを特徴とする請求項８〜１６のいずれか１項に記載の印刷制御装置。
【請求項１８】
前記効果種別には強調表示効果の種別があり、当該強調表示効果の種別が存在すると、前記レイアウト決定手段は前記素材画像を拡大して前記印刷物のページレイアウトを決定することを特徴とする請求項８〜１７のいずれか１項に記載の印刷制御装置。
【請求項１９】
前記効果種別には前記素材画像を撮影した撮影者を紹介する撮影者紹介効果の種別があり、当該撮影者紹介効果の種別が存在すると、前記レイアウト決定手段は撮影者を紹介する文字列を加えて前記印刷物のページレイアウトを決定することを特徴とする請求項８〜１８のいずれか１項に記載の印刷制御装置。
【請求項２０】
同一の効果種別を有する素材画像に対する印刷レイアウトにおいて１ページ当たりの前記素材画像の枚数が所定の画像上限枚数を超えると、前記レイアウト決定手段は、前記同一の効果の種別を有する素材画像に対する印刷レイアウトにおけるページ数を増やして、１ページ当たりの素材画像の枚数を画像上限枚数以下とすることを特徴とする請求項８〜１９のいずれか１項に記載の印刷制御装置。
【請求項２１】
画像処理装置の制御方法であって、
動画を印刷対象として指定する指定ステップと、
前記指定ステップで印刷対象に指定された動画に対応づけられている構成情報であって、当該動画を生成するために用いられた複数の元画像を特定する情報を含む構成情報に基づき、印刷すべき素材画像を特定する画像特定ステップと、
前記画像特定ステップで特定された前記素材画像と前記構成情報とを印刷制御装置に送って、前記印刷制御装置に印刷を指示する送信ステップと、
を有することを特徴とする制御方法。
【請求項２２】
印刷制御装置の制御方法であって、
動画を生成した際に適用した効果種別を特定する情報を含む構成情報と、印刷すべき素材画像とをメモリに格納する格納ステップと、
前記構成情報に含まれる効果種別を特定する情報に応じて、印刷物のページレイアウトを決定するレイアウト決定ステップと、
前記ページレイアウトに基づいて前記素材画像を配置して印刷データを生成する印刷データ生成ステップと、
を有することを特徴とする制御方法。
【請求項２３】
画像処理装置で用いられる制御プログラムであって、
前記画像処理装置が備えるコンピュータに、
動画を印刷対象として指定する指定ステップと、
前記指定ステップで印刷対象に指定された動画に対応づけられている構成情報であって、当該動画を生成するために用いられた複数の元画像を特定する情報を含む構成情報に基づき、印刷すべき素材画像を特定する画像特定ステップと、
前記画像特定ステップで特定された前記素材画像と前記構成情報とを印刷制御装置に送って、前記印刷制御装置に印刷を指示する送信ステップと、
を実行させることを特徴とする制御プログラム。
【請求項２４】
印刷制御装置で用いられる制御プログラムであって、
前記印刷制御装置が備えるコンピュータに、
動画を生成した際に適用した効果種別を特定する情報を含む構成情報と、印刷すべき素材画像とをメモリに格納する格納ステップと、
前記構成情報に含まれる効果種別を特定する情報に応じて、印刷物のページレイアウトを決定するレイアウト決定ステップと、
前記ページレイアウトに基づいて前記素材画像を配置して印刷データを生成する印刷データ生成ステップと、
を実行させることを特徴とする制御プログラム。
【発明の詳細な説明】
【技術分野】
【０００１】
本発明は、画像処理装置および印刷制御装置、並びにその制御方法および制御プログラムに関し、特に、動画を記録用紙などの媒体に静止画（例えば、アルバム）として印刷するための印刷制御装置に関する。
【背景技術】
【０００２】
近年、デジタルカメラでなどの撮像装置において、撮影者が撮像装置に備えられたシャッターボタンを押下する前から押下した直後までの被写体の動きを、シャッターボタンを押下した際に撮影される静止画とは別の動画として記録するようにしたものがある。そして、記録された動画を再生すれば、撮影者などは静止画のみでは分からなかった静止画を撮影した際の雰囲気および状況を知ることができる。
【０００３】
これによって、撮影場所に立ち会っていない人であっても、さらには撮影から時間が経過した場合であっても、動画を閲覧すれば撮影時の雰囲気および状況を理解することができる。
【０００４】
さらに、動画を作品として保存することもあり、また、人に見せるためのダイジェスト版として、静止画および動画を編集して新たな動画を生成することもある。このような場合には、一般に動画を作成するための専用のソフトウェアがインストールされたコンピュータ（ＰＣ）が必要となることが多い。
【０００５】
一方、最近では、撮像装置において静止画および動画を編集して新たな動画を作成することができるようになっている。撮像装置において、新たな動画を作成することができるので、ユーザーはコンピュータが設置された場所に移動することなく、例えば、旅先などの外出先でダイジェスト版を作成することができる。これによって、ユーザーは家族又はや友人などの同行人と旅行途中でそれまでの旅行を振り返ることができる。
【０００６】
また、上述のダイジェスト版の動画を見れば、ダイジェスト版に記録された動画から撮影の際の雰囲気および状況を即座に知ることができる。
【０００７】
ところが、動画の場合には当該動画を再生するためのデバイスが必要になる。そして、動画再生のための再生デバイスを持っていないと、動画の再生を行うことができず、さらには、機械の操作に慣れていない人にとっては動画の再生を行うことが難しい。
【０００８】
このような問題を解決するため、例えば、静止画から動画を作成して、当該動画を再生しつつ動画に係る効果に対して印刷の指示を受け付ける機器がある（特許文献１参照）。
【０００９】
特許文献１に記載の機器では、特定の効果に対する印刷の指示を受けると、その効果に用いられた静止画を印刷することができる。そして、この機器を用いることによって、動画を閲覧しつつ他の人に見せた効果を印刷することができ、動画を見せる代わりに静止画印刷物でダイジェストに相当する内容を伝えることができる。
【先行技術文献】
【特許文献】
【００１０】
【特許文献１】特開２００４−６４２８５号公報
【発明の概要】
【発明が解決しようとする課題】
【００１１】
上述のように、特許文献１に記載の機器を用いれば、動画を構成する効果を静止画として印刷することができる。しかしながら、動画において指定された効果を静止画として取り出すことはできるとしても、取り出された静止画においては、当該静止画が動画においてどのような意味を有するかについて印刷する瞬間には理解することができない。
【００１２】
このため、動画から切り出した静止画を印刷する場合、その対象効果が動画においてどのような意味を有するか分からずに印刷することになる。その結果、動画から切り出した静止画で作成した印刷物を集めたとしても、元の動画とは異なる内容を表現してしまう可能性がある。
【００１３】
従って、本発明の目的は、動画から静止画印刷を行った場合に、印刷で得られた静止画によって印刷元の動画で表現される内容を容易に把握することのできる画像処理装置および印刷制御装置、並びにその制御方法および制御プログラムを提供することにある。
【課題を解決するための手段】
【００１４】
上記の目的を達成するため、本発明による画像処理装置は、動画を印刷対象として指定する指定手段と、前記指定手段で印刷対象に指定された動画に対応づけられている構成情報であって、当該動画を生成するために用いられた複数の元画像を特定する情報を含む構成情報に基づき、印刷すべき素材画像を特定する画像特定手段と、前記画像特定手段で特定された前記素材画像と前記構成情報とを印刷制御装置に送って、前記印刷制御装置に印刷を指示する送信手段と、を有することを特徴とする。
【００１５】
本発明による印刷制御装置は、動画を生成した際に適用した効果種別を特定する情報を含む構成情報と、印刷すべき素材画像とを格納する格納手段と、前記構成情報に含まれる効果種別を特定する情報に応じて、印刷物のページレイアウトを決定するレイアウト決定手段と、前記ページレイアウトに基づいて前記素材画像を配置して印刷データを生成する印刷データ生成手段と、を有することを特徴とする。
【００１６】
本発明の制御方法は、画像処理装置の制御方法であって、動画を印刷対象として指定する指定ステップと、前記指定ステップで印刷対象に指定された動画に対応づけられている構成情報であって、当該動画を生成するために用いられた複数の元画像を特定する情報を含む構成情報に基づき、印刷すべき素材画像を特定する画像特定ステップと、前記画像特定ステップで特定された前記素材画像と前記構成情報とを印刷制御装置に送って、前記印刷制御装置に印刷を指示する送信ステップと、を有することを特徴とする。
【００１７】
また、本発明による制御方法は、印刷制御装置の制御方法であって、動画を生成した際に適用した効果種別を特定する情報を含む構成情報と、印刷すべき素材画像とをメモリに格納する格納ステップと、前記構成情報に含まれる効果種別を特定する情報に応じて、印刷物のページレイアウトを決定するレイアウト決定ステップと、前記ページレイアウトに基づいて前記素材画像を配置して印刷データを生成する印刷データ生成ステップと、を有することを特徴とする。
【００１８】
本発明による制御プログラムは、画像処理装置で用いられる制御プログラムであって、前記画像処理装置が備えるコンピュータに、動画を印刷対象として指定する指定ステップと、前記指定ステップで印刷対象に指定された動画に対応づけられている構成情報であって、当該動画を生成するために用いられた複数の元画像を特定する情報を含む構成情報に基づき、印刷すべき素材画像を特定する画像特定ステップと、前記画像特定ステップで特定された前記素材画像と前記構成情報とを印刷制御装置に送って、前記印刷制御装置に印刷を指示する送信ステップと、を実行させることを特徴とする。
【００１９】
また、本発明による制御プログラムは、印刷制御装置で用いられる制御プログラムであって、前記印刷制御装置が備えるコンピュータに、動画を生成した際に適用した効果種別を特定する情報を含む構成情報と、印刷すべき素材画像とをメモリに格納する格納ステップと、前記構成情報に含まれる効果種別を特定する情報に応じて、印刷物のページレイアウトを決定するレイアウト決定ステップと、前記ページレイアウトに基づいて前記素材画像を配置して印刷データを生成する印刷データ生成ステップと、を実行させることを特徴とする。
【発明の効果】
【００２０】
本発明によれば、構成情報に応じて印刷対象の動画で用いられた画像を素材画像として特定して、これら素材画像と前記構成情報とを印刷制御装置に送るようにしたので。動画を印刷した場合においても、印刷で得られた静止画によって印刷元の動画で表現される内容を容易に把握することができる。
【図面の簡単な説明】
【００２１】
【図１】本発明の実施の形態による撮像装置および印刷制御装置が用いられた動画印刷システムの一例を示すブロック図である。
【図２】図１に示すカメラにおいてＳＤカードに記録された画像データの一例を示す図である。
【図３】図１に示すカメラで行われる編集動画の生成を説明するためのフローチャートである。
【図４】図１に示すカメラで行われる編集動画の仕様確定を説明するための図であり、（ａ）は作成条件を指定する画面を示す図、（ｂ）は期間を指定する画面を示す図である。
【図５】図１に示すＣＰＵで生成される画像一覧の一例を示す図である。
【図６】図３に示す構成情報の生成の一例を説明するためのフローチャートである。
【図７】図６に示すフラッシュ効果（ハイライト）に用いる素材画像を決定する処理を説明するための図である。
【図８】図７に示すハイライト決定処理で生成されたハイライト用画像リストの一例を示す図である。
【図９】図１に示すカメラで生成される構成情報表の一例を示す図である。
【図１０】図１に示すカメラにおいて用いられる再生時間決定表の一例を示す図である。
【図１１】図１に示すカメラで生成される編集動画のサイズを規定するサイズ表の一例を示す図である。
【図１２】図１に示すカメラにおいて素材画像をスクロール表示する際の編集動画の視認について説明するための図であり、（ａ）〜（ｃ）はそれぞれスクロール表示された画像を示す図、（ｄ）〜（ｇ）はそれぞれ表示領域を規定する矩形を示す図である。
【図１３】図１に示すカメラにおいてスクロール表示される表示領域の座標を説明するための図であり、（ａ）は図１２（ｇ）に示す表示領域の座標を示す図、（ｂ）はスクロール表示した際の座標の変化を示す図である。
【図１４】図１に示すカメラで生成された構成情報ファイルの記録先の一例を示す図である。
【図１５】図１に示すカメラに表示される編集動画の一例を説明するための図であり、（ａ）は編集動画とともに印刷ボタンおよび戻るボタンが表示される一例を示す図、（ｂ）は編集動画とともに戻るボタンが表示される一例を示す図、（ｃ）は（ａ）に示す印刷ボタンが操作された際にディスプレイに表示される画面の一例を示す図である。
【図１６】図１に示すカメラで行われるサーバＰＣの機能を確認する確認処理を説明するためのフローチャートである。
【図１７】図１６に示すサーバＰＣの印刷機能の確認処理を説明するための図である。
【図１８】図１６に示すサーバＰＣにおいて必要な最小画像サイズの確認処理を説明するための図である。
【図１９】図１に示すカメラで行われる印刷処理手続きの一例を説明するためのフローチャートである。
【図２０】図１に示すサーバＰＣで行われる印刷処理を説明するためのフローチャートである。
【図２１】図１に示すサーバＰＣが受信する送信用構成情報ファイルを示す図である。
【図２２】図１に示すサーバＰＣで受信された送信用構成情報ファイル、印刷用画像、およびメールアドレスの登録先の一例を示す図である。
【図２３】図２０に示す印刷レイアウトの決定処理の一例を説明するための図である。
【図２４】図２２に示す印刷レイアウト定義ファイルの一例についてその構成を示す図である。
【図２５】図１に示すサーバＰＣで行われる印刷レイアウト処理を説明するための図であり、（ａ）は表紙レイアウトを示す図、（ｂ）はタイトル効果レイアウトを示す図、（ｃ）は静止画効果レイアウトおよび動画効果レイアウトを示す図、（ｄ）は連写効果レイアウトを示す図、（ｅ）はカメラマン紹介効果レイアウトを示す図、（ｆ）はキメ画像効果レイアウトを示す図である。
【図２６】図１に示すカメラで閲覧可能な印刷プレビュー確認画面の一例を説明するための図であり、（ａ）は印刷プレビュー確認画面の一例を示す図、（ｂ）は編集画面の一例を示す図、（ｃ）はレイアウト切り替え画面の一例を示す図である。
【発明を実施するための形態】
【００２２】
以下に、本発明の実施の形態による撮像装置および印刷制御装置の一例について図面を参照して説明する。
【００２３】
図１は、本発明の実施の形態による撮像装置および印刷制御装置が用いられた動画印刷システムの一例を示すブロック図である。
【００２４】
図示の動画印刷システムは、少なくとも撮像装置１００および印刷制御装置の一つであるサーバＰＣ１１０を有している。撮像装置１００は、例えば、デジタルカメラ（以下単にカメラと呼ぶ）であり、動画印刷システムは、スマートフォン１２０などの端末装置を備えるようにしてもよい。
【００２５】
カメラ１００は、ＣＰＵ１０５を有しており、ＣＰＵ１０５はカメラ１００全体の制御を司る。記録媒体であるＳＤカード１０１には、撮像部（図示せず）による撮影の結果得られた画像（撮影画像）およびカメラ１００において編集などを行った画像（カメラ作成画像）が記録される。メモリ１０２にはＣＰＵ１０５で実行されるプログラムが記録されている。
【００２６】
さらに、カメラ１００には通信部として用いられるＷｉｆｉ接続モジュール１０３が備えられるとともに、ディスプレイ１０４が備えられている。そして、ディスプレイ１０４には、撮影画像およびカメラ作成画像が表示されるとともに、ユーザインタフェース画面（ＵＩ画面）が表示される。なお、ユーザーはボタン１０６によってＵＩ画面を操作することになる。
【００２７】
ＣＰＵ１０５はメモリ１０２に格納されたプログラムを実行して、カメラ１００全体を制御する。メモリ１０２には、ＣＰＵ１０５の動作に必要なプログラムが記録されるばかりでなく、ＣＰＵ１０５の作業メモリとして用いられる。そして、ＣＰＵ１０５はｗｉｆｉ接続モジュール１０３を制御して、ｗｉｆｉ親機１３０を介してサーバＰＣ１１０と通信を行う。
【００２８】
サーバＰＣ１１０は、ＣＰＵ１１４、ネットワークボード１１３、メモリ１１２、ＨＤＤ１１１、およびＵＳＢ端子１１５を備えている。ＣＰＵ１１４は、ＨＤＤ１１１に記録されたプログラムを実行してサーバＰＣ１１０全体を制御する。また、ＨＤＤ１１１は、後述するレイアウト定義ファイルを記憶する記憶手段でもある。メモリ１１２はＣＰＵ１１４の動作に必要な作業メモリとして用いられる。ＣＰＵ１１４はネットワークボード１１３を制御して、ネットワーク（例えば、インターネット）を介してカメラ１００と通信を行う。
【００２９】
図示のように、サーバＰＣ１１０にはＵＳＢ端子１１５を介してプリンタ１５０が接続されている。そして、サーバＰＣ１１０は、後述するようにして、印刷データを作成して、印刷データに応じてプリンタ１５０で印刷を行う。
【００３０】
ここでは、図示のスマートフォン１２０はカメラ１００の代替又はサーバＰＣ１１０の代替となる。スマートフォン１２０は、ＣＰＵ１２２、フラッシュメモリ１２１、メモリ１２５、タッチパネル１２４、およびｗｉｆｉ接続モジュール１２３を備えている。
【００３１】
ＣＰＵ１２２は、フラッシュメモリ１２１に記録されたプログラムを実行してスマートフォン１２０全体を制御する。メモリ１２５はＣＰＵ１２２の動作に必要な作業メモリとして用いられる。ＣＰＵ１２２はｗｉｆｉ接続モジュール１２３を制御して、ｗｉｆｉ親機１４０を介してサーバ１１０と通信を行う。
【００３２】
さらに、ＣＰＵ１２２はｗｉｆｉ接続モジュール１２３を介して、プリンタ１５０と無線接続が可能である。そして、ＣＰＵ１２２はｗｉｆｉ接続モジュールを介してプリンタ１５０に印刷データを送って、プリンタ１５０において印刷データに応じた印刷を行う。
【００３３】
図示のよう、ＣＰＵ１２２にはタッチパネル１２４を備える表示部が接続されており、表示部にはＣＰＵ１２２による処理に応じた結果が表示される。そして、ユーザーはタッチパネル１２４を用いたタッチ操作を行って、各種の指示をＣＰＵ１２２に送る。
【００３４】
動画印刷システムは、少なくともカメラ１００およびサーバＰＣ１１０を有していればよいので、まず、動画印刷システムがカメラ１００およびサーバＰＣ１１０を備える場合について説明する。
【００３５】
図２は、図１に示すカメラ１００においてＳＤカード１０１に記録された画像データの一例を示す図である。
【００３６】
ここでは、ＳＤカード１０１には、画像データとして静止画２０１〜２０４、２０６、および２０８、動画２０７、連写で得られた静止画群２０５が記録されているものとする。そして、ＳＤカード１０１に記録された画像データを用いて新たな動画データ（以下編集動画と呼ぶ）が作成される。
【００３７】
なお、画像データには、例えば、ファイル名、撮影日時、フォーマット、および被写体名（人物の場合）、およびお気に入り度が記録されているものとする。
【００３８】
図３は、図１に示すカメラ１００で行われる編集動画の生成を説明するためのフローチャートである。なお、図示のフローチャートに係る処理は、ＣＰＵ１０５の制御下で行われる。
【００３９】
編集動画（つまり、印刷対象の動画）の作成を開始すると、ＣＰＵ１０５は、まず作成する編集動画の仕様確定を行う（ステップＳ３０１）。
【００４０】
図４は、図１に示すカメラ１００で行われる編集動画の仕様確定を説明するための図である。そして、図３（ａ）は作成条件を指定する画面を示す図であり、図３（ｂ）は期間を指定する画面を示す図である。
【００４１】
編集動画の仕様確定を開始すると、ＣＰＵ１０５は、ディスプレイ１０４に、図４（ａ）に示す作成条件指定画面を表示する。ここでは、ユーザーは作成条件画面を用いてどのような編集動画を作成するかを指定することになる。
【００４２】
図４（ａ）に示す例では、作成条件指定画面には３つの選択肢ボタンが表示される。選択肢ボタン４０１は撮影期間を特定の期間に限定して、当該期間において撮影された画像データを用いて編集動画を作成するためのボタンである。
【００４３】
選択肢ボタン４０２は編集動画に用いる画像データを個別に指定するためのボタンである。また、選択肢ボタン４０３は、被写体（ここでは、人物）を指定して、当該被写体を中心とする編集動画を作成するためのボタンである。
【００４４】
以下の説明では、選択肢ボタン４０１がユーザーによって操作された際の処理について説明する。選択肢ボタン３０１を押し下げると、ＣＰＵ１０５は、ディスプレイ１０４に図３（ｂ）に示す期間指定画面４０４を表示する。ユーザーは期間指定画面４０４において撮影期間を入力する。
【００４５】
ここでは、ユーザーは撮影期間として２０１２年１２月１日〜２０１４年３月４日を指定したものとする。そして、ユーザーが決定ボタン４０５を押し下げると、ＣＰＵ１０５は撮影期間を作成動画の仕様として確定する。
【００４６】
再び図３を参照して、ＣＰＵ１０５は作成動画の仕様、ここでは、撮影期間に応じて画像データの収集を行う（ステップＳ３０２）。つまり、ＣＰＵ１０５は、指定された撮影期間に応じてＳＤカード１０１から画像データを収集して画像一覧を生成する。
【００４７】
図５は、図１に示すＣＰＵ１０５で生成される画像一覧の一例を示す図である。
【００４８】
前述のように、ＣＰＵ１０５は撮影期間に応じて、ＳＤカード１０１に記録された画像の属性情報（画像情報ともいう）を示す画像一覧を生成する。画像一覧には、ファイル名５０１、撮影日時５０２、フォーマット５０３、被写体（被写体名）５０４、およびお気に入り度５０５の５つの項目が存在する。ここでは、画像一覧の項目を５つとしたが、編集動画に応じて項目の数を増減させるようにしてもよい。
【００４９】
ファイル名５０１には、ＳＤカード１０１における画像データのファイル名が記載意される。撮影日時５０２には、画像データの撮影日時が記載される。フォーマット５０３には、画像データのフォーマット名が記載される。被写体５０４には、画像データに存在する被写体名（人物名）が記載される。画像データに複数の複数の被写体が存在する場合には、当該複数の被写体に係る被写体名が全て記載される。そして、お気に入り度５０５には、画像データのお気に入り度が記載される。
【００５０】
なお、被写体名については、予め被写体情報（被写体名）を画像データに関連付けて記録して、画像一覧を生成する際に、ＣＰＵ１０５が当該被写体情報を読み込むようにする。また、ユーザーが画像を見つつ被写体名を入力するようにしてもよい。さらに、お気に入り度４０５は、例えば、”１”〜”５”で評価され、ユーザーが画像データ毎に予め設定するものである。
【００５１】
前述のように、撮影期間として、２０１２年１２月１日〜２０１４年３月４日が指定されているので、ＣＰＵ１０５は撮影日時が当該撮影期間に存在する画像データを検索して、画像一覧を生成する。画像収集の後、ＣＰＵ１０５は編集動画の構成を示す構成情報（この構成情報には元画像を特定する情報が含まれる）を作成する（ステップＳ３０３）。
【００５２】
図６は、図３に示す構成情報の生成を説明するためのフローチャートである。
【００５３】
構成情報の生成を開始すると、ＣＰＵ１０５は画像一覧によって編集動画に係る画像データ（つまり素材画像）に関する画像情報を確認する（ステップＳ６０１）。そして、ＣＰＵ１０５は、編集動画のタイトル効果として用いる素材画像を決定する。ここでは、ＣＰＵ１０５は、例えば、最もお気に入り度が高い素材画像をタイトル効果に用いる素材画像として決定する（ステップＳ６０２）。
【００５４】
図５に示す例では、ファイル名５０１がＩＭＧ＿０００１．ＪＰＧである素材画像のお気に入り度５０５が最も高い。よって、ＣＰＵ１０５はファイル名５０１がＩＭＧ＿０００１．ＪＰＧの素材画像をタイトル効果として用いる素材画像に決定する。
【００５５】
続いて、ＣＰＵ１０５は編集動画における素材画像の表示順を決定する。ここでは、例えば、ＣＰＵ１０５は、画像一覧の撮影日時に応じて素材画像の表示順を撮影日時順と決定する（ステップＳ６０３）。
【００５６】
次に、ＣＰＵ１０５は一度の撮影によって生成された連写画像を一つの組として纏める処理を行う（ステップＳ６０４）。ここでは、連写画像を、例えば、１秒間隔で再生された静止画とし、ＣＰＵ１０５は画像一覧の撮影日時５０２を参照して、連写画像を一つの組として纏める処理を行う。図５に示す例では、ファイル名ＩＭＧ＿０００８．ＪＰＧ、ＩＭＧ＿０００９．ＪＰＧ、ＩＭＧ＿００１０．ＪＰＧ、およびＩＭＧ＿００１１．ＪＰＧが連写画像となる。
【００５７】
なお、連写撮影の際に画像データに連写画像であることを示す連写画像情報が付加されていれば、ＣＰＵ１０５は当該連写画像情報に応じて連写画像であるか否かを判定するようにしてもよい。
【００５８】
続いて、ＣＰＵ１０５は、後述するようにして、フラッシュ効果（ハイライト）に用いる素材画像を静止画から決定する（ステップＳ６０５）。ここで、フラッシュ効果とは、動画の冒頭における効果であって、編集動画で用いる静止画を短時間で切り替えて表示することによって冒頭部において編集動画の内容をユーザーが把握するための効果である。
【００５９】
図７は、図６に示すフラッシュ効果（ハイライト）に用いる素材画像を決定する処理（ハイライト決定処理）を説明するための図である。
【００６０】
ハイライト決定処理を開始すると、ＣＰＵ１０５は、ハイライト用（フラッシュ効果用）の素材画像を決定するため、静止画を撮影日時順に並べる（ステップＳ７０１）。その後、ＣＰＵ１０５は一連の連写画像において先頭画像を除く静止画像を除外する（ステップＳ７０２）。そして、ＣＰＵ１０５は、残った静止画からフラッシュ効果用（ハイライト用）画像リストを作成して（ステップＳ７０３）、ハイライト決定処理を終了する。
【００６１】
図８は、図７に示すハイライト決定処理で生成されたハイライト用画像リストの一例を示す図である。
【００６２】
図８において、ハイライト用画像リストには、撮影日時順に、ファイル名ＩＭＧ＿０００１．ＪＰＧ、ＩＭＧ＿０００２．ＪＰＧ、ＩＭＧ＿０００３．ＪＰＧ、ＩＭＧ＿０００４．ＪＰＧ、ＩＭＧ＿０００５．ＪＰＧ、ＩＭＧ＿０００７．ＪＰＧ、およびＩＭＧ＿０００８．ＪＰＧがハイライト用画像として決定されている。
【００６３】
ところで、編集動画においては、タイトル効果として用いる素材画像から始まり、フラッシュ効果として用いる素材画像を表示した後、本編が表示される。よって、ＣＰＵ１０５は、編集動画において素材画像をどのような効果で表示するかを示す構成情報表を生成する。
【００６４】
図９は、図１に示すカメラ１００で生成される構成情報表の一例を示す図である。なお、図示の例では、素材画像として画像１〜画像２２があるものとする。
【００６５】
図示の構成情報表（構成情報ファイルともいう）においては、編集画像の一部として用いられる素材画像が列挙される。そして、素材画像毎に編集動画における効果、表示時間、および表示文字列に係る文字情報が記載される。
【００６６】
例えば、素材画像毎に、ファイル名、表示時間、表示文字列（以下単に文字列という）、文字列入力箇所、効果種別、およびスクロールが記載される。ファイル名には、ＳＤカード１０１における素材画像のファイル名が記載される。表示時間には、素材画像のフォーマットおよび効果に応じた編集動画における再生時間が記載される。
【００６７】
図１０は、図１に示すカメラ１００において用いられる再生時間決定表の一例を示す図である。なお、図示の再生時間決定表は、例えば、図１に示すメモリ１０２に予め格納されている。
【００６８】
ＣＰＵ１０５は、再生時間決定表を参照して、例えば、フォーマットに応じて素材画像毎の再生時間を決定する。図１０に示す再生時間決定表では、素材画像の種別として、単一静止画、動画、連写、フラッシュ、タイトル、カメラマン紹介（撮影者紹介）、およびキメ画像が規定されており、これら種別に応じて再生時間が規定されている。
【００６９】
再び図９を参照して、文字列および文字列入力箇所ではそれぞれ編集動画において素材画像を表示する際に表示する文字列および当該文字列の編集動画における表示位置が指定される。効果種別には、素材画像を動画に編集した際に適用された特殊効果の名称が記載される。そして、スクロールにおいては、編集動画において表示される素材画像がその全体ではなく一部分の場合に当該一部分を示す座標が指定される。
【００７０】
なお、編集動画について同様の効果を適用した場合であっても、素材画像の間に撮影時間又は撮影対象に大きな相違がある場合には、同一の効果であっても別のグループと分かる表現で効果情報が記載される。
【００７１】
再び図６を参照して、ハイライト用素材画像を決定した後、ＣＰＵ１０５は画像の種別に割り当てられた表示時間を確認する（ステップＳ６０６）。前述のように、メモリ１０２には図１０に示す画像の種別マット毎に再生時間が規定された再生時間決定表が格納されている。
【００７２】
ＣＰＵ１０５は、再生時間決定表を参照して、画像の種別毎の再生時間表に応じて、編集動画における効果で用いる素材画像を表示する表示時間を確定することになる（ステップＳ６０７）。そして、ＣＰＵ１０５は画像の種別毎との再生時間、つまり、表示時間を図９に示す構成情報表の素材画像に割り当て、編集動画における効果切り替え時間を決定する。
【００７３】
続いて、ＣＰＵ１０５は、素材画像に存在する主被写体を矩形で囲う処理を行う（Ｓ６０８）。ここでは、主被写体を矩形で囲む際には、ＣＰＵ１０５は素材画像に存在する最大サイズの物体（例えば、人物）を主被写体とする。なお、ユーザーがディスプレイ１０４に表示された素材画像を参照して主被写体を指定するようにしてもよい。
【００７４】
次に、ＣＰＵ１０５は矩形の大きさが素材画像（つまり、画像全体）の大きさの半分以下であるかを調べる（ステップＳ６０９）。そして、ＣＰＵ１０５は矩形の大きさが素材画像の大きさの半分以下であるか否かを判定する（ステップＳ６１０）。
【００７５】
矩形の大きさが素材画像の大きさの半分以下であると（ステップＳ６１０において、ＹＥＳ）、ＣＰＵ１０５は当該素材画像において矩形の部分で示す領域のみを編集動画において表示する表示領域とする（ステップＳ６１１）。一方、矩形の大きさが素材画像の大きさの半分を超えると（ステップＳ６１０において、ＮＯ）、ＣＰＵ１０５は素材画像の全てを編集動画における表示領域とする（ステップＳ６１２）。
【００７６】
ステップＳ６１１又はＳ６１２の処理の後、ＣＰＵ１０５は表示領域の短辺が縦方向である又は横方向であるかを調べる（ステップＳ６１３）。そして、ＣＰＵ１０５は表示領域の短辺が縦方向であるか否か、つまり、表示領域が横長であるか否かを判定する（ステップＳ６１４）。
【００７７】
表示領域が縦長であると（ステップＳ６１４において、ＮＯ、ＣＰＵ１０５は表示領域の拡大又は縮小を行って、編集動画の横サイズと表示領域の横サイズとが同一となるようにする（ステップＳ６１５）。一方、表示領域が横長であると（ステップＳ６１４において、ＹＥＳ）、ＣＰＵ１０５は表示領域の拡大又は縮小を行って、編集動画の縦サイズと表示領域の縦サイズが同一となるようにする（ステップＳ６１６）。
【００７８】
図１１は、図１に示すカメラ１００で生成される編集動画のサイズを規定するサイズ表の一例を示す図である。なお、図示のサイズ表は、例えば、メモリ１０２に格納され、ＣＰＵ１０５は、ステップＳ６１５およびＳ６１６の処理において、編集動画のサイズを図１１に示すサイズ表から取得する。
【００７９】
ステップＳ６１５又はＳ６１６の処理の後、ＣＰ１０５は表示領域を拡大又は縮小した際において表示領域の長辺サイズが編集動画において対応する辺の長さと同一であるかを調べる（ステップＳ６１７）。つまり、ＣＰＵ１０５は表示領域の縦横比が編集動画の縦横比と同一であるかを調べることになる。そして、ＣＰＵ１０５は表示領域の縦横比が編集動画の縦横比と同一であるか否かを判定する（ステップＳ６１８）。
【００８０】
表示領域の縦横比が編集動画の縦横比と同一であると（ステップＳ６１８において、ＹＥＳ）、ＣＰＵ１０５は表示領域を編集動画においてスクロール表示しないと決定する（ステップＳ６１９）。一方、表示領域の縦横比が編集動画の縦横比と同一でないと（ステップＳ６１８において、ＮＯ）、ＣＰＵ１０５は編集動画において表示領域を全て表示できるように、表示領域をその長辺側の一端から他端までスクロール表示すると決定する（ステップＳ６２０）。
【００８１】
なお、スクロール表示の有無に拘わらず、素材画像の特定領域のみを表示する場合には、ＣＰＵ１０５は表示領域を規定する矩形の左上座標と右下座標とを構成情報表にスクロール位置９０１として記録する。
【００８２】
ここで、図１に示すカメラ１００において素材画像をスクロール表示する際の編集動画の視認について説明する。
【００８３】
図１２は、図１に示すカメラ１００において素材画像をスクロール表示する際の編集動画の視認を説明するための図である。そして、図１２（ａ）〜図１２（ｃ）はそれぞれスクロール表示された画像を示す図であり、図１２（ｄ）〜図１２（ｇ）はそれぞれ表示領域を規定する矩形を示す図である。
【００８４】
いま、カメラ１００においてスクロール表示を行うと、ディスプレイ１０４には、例えば、図１２（ａ）〜図１２（ｃ）で示すように画像が表示される。ここでは、ディスプレイ１０４には順次表示領域１２０２、表示領域１２０３、および表示領域１２０４が表示されることになる。つまり、スクロール表示においては画像が動いているのではなくて、表示領域が順次表示領域１２０２、表示領域１２０３、および表示領域１２０４に変更されることになる。いま、前述のステップＳ６２０の処理においてスクロール表示するとされた表示領域を図１２（ｇ）に示す。
【００８５】
図１３は、図１に示すカメラ１００においてスクロール表示される表示領域の座標を説明するための図である。そして、図１３（ａ）は図１２（ｇ）に示す表示領域の座標を示す図であり、図１３（ｂ）はスクロール表示した際の座標の変化を示す図である。
【００８６】
図１２（ｇ）に示す表示領域１２０５は矩形であって、表示表域１２０５において図中左上の点１２０４ｂの素材画像における座標は（２１００，１２００）であり、右下の点１２０２ｃの素材画像における座標は（３０００，２４００）である（図１３（ａ）参照）。
【００８７】
表示領域１２０５のサイズは編集動画の縦横サイズと比べると縦方向に大きい。このため、表示領域１２０５を編集動画において表示する際には、縦方向にその表示範囲をスクロールことになる。
【００８８】
まず、表示領域１２０５の短辺の一方と接する編集動画と同一のサイズの表示領域１２０２ａ（図１２（ｄ））がスクロール表示の際の最初の表示領域とされる。そして、表示領域１２０２ａが接する表示領域１２０５の短辺と逆側の短辺と接して編集動画と同一のサイズの表示領域１２０４ａ（図１２（ｆ））がスクロール表示際の最後の表示領域とされる。
【００８９】
図１０に示す再生時間表に示す再生時間を考慮すると、表示領域１２０２ａがスクロール表示する素材画像の０．０秒時点、つまり、登場の瞬間の表示領域であって、表示領域１２０４ａがスクロール表示する素材画像の３．０秒時点、つまり、表示終了の瞬間の表示領域である。そして、中間の１．５秒時点のタイミングにおける表示領域は図１２（ｅ）に示す表示領域１２０３ａとなる。
【００９０】
つまり、図１３（ｂ）に示すように、表示領域１２０２ａ、１２０３ａ、および１２０４ａの座標（左上の座標および右下の座標）が変化することになる。
【００９１】
再び図６を参照して、ステップＳ６１９又はＳ６２０の処理の後、ＣＰＵ１０５はタイトル効果に用いる文字列を確定する（ステップＳ６２１）。ここでは、前述のように、図４（ａ）において期間指定ボタン４０１が選択されている。よって、ＣＰＵ１０５はタイトル効果に用いる文字列として素材画像の撮影期間を用いる。
【００９２】
素材画像の撮影期間については、図５に示す撮影日時５０２によって確認することができる。図５に示す例では、最も古い撮影日時は２０１３年２月１３日であり、最も新しい撮影日時は２０１４年３月３日であって、この期間が撮影期間となる。そして、ＣＰＵ１０５は撮影期間を、図９に示す構成情報表におけるタイトル効果の文字列９０１とする。
【００９３】
続いて、ＣＰＵ１０５は、構成情報表を構成情報ファイルとしてＳＤカード１０１に記録する（ステップＳ６２２）。そして、ＣＰＵ１０５は構成情報の作成を終了して、図３に示すステップＳ３０４の処理に進む。
【００９４】
図１４は、図１に示すカメラ１００で生成された構成情報ファイルの記録先の一例を示す図である。
【００９５】
ＳＤカード１０１において、素材画像と同一の階層に形成されたフォルダに、ファイル名ＮＥＷ＿０１００．ＸＭＬで構成情報ファイル１４０２が保存される。
【００９６】
構成情報ファイルをＳＤカード１０１に記録すると、ＣＰＵ１０５は構成情報の作成を終了して、図３に示すステップＳ３０４の処理に進む。ステップＳ３０４において、ＣＰＵ１０５は構成情報ファイル１４０２に基づいて、素材画像を収集して編集動画を生成する。
【００９７】
編集動画を生成する際には、ＣＰＵ１０５は、図１１に示すサイズ表（編集動画の仕様）を確認する。そして、ＣＰＵ１０５は編集動画を、例えば、図１４に示すファイル名ＮＥＷ＿０１００．ＭＰ４の動画像ファイル１４０１として構成情報ファイル１４０２と同一の階層に、拡張子以外のファイル名を同一の文字列にしてＳＤカード１０１に記録する。編集動画の生成が終了すると、ＣＰＵ１０５はディスプレイ１０４には編集動画を表示する。
【００９８】
図１５は、図１に示すカメラ１００に表示される編集動画の一例を説明するための図である。そして、図１５（ａ）は編集動画とともに印刷ボタンおよび戻るボタンが表示される一例を示す図であり、図１５（ｂ）は編集動画とともに戻るボタンが表示される一例を示す図である。また、図１５（ｃ）は図１５（ａ）に示す印刷ボタンが操作された際にディスプレイ１０４に表示される画面の一例を示す図である。
【００９９】
図１５（ａ）に示すように、ディスプレイ１０４には動画像ファイル１４０１に応じた編集動画が表示される。さらに、ディスプレイ１０４には編集動画とともに、印刷ボタン１５０１および戻るボタン１５０２が表示される。印刷ボタン１５０１は編集動画の印刷を指示する際に用いられる。また、戻るボタン１５０２は編集動画の印刷を行わずに別の状態に遷移する際に用いられる。
【０１００】
ユーザーが印刷ボタン１００１を押し下げると、ＣＰＵ１０５はＷｉｆｉ接続モジュール１０３によって構成情報ファイル１４０２および編集動画の生成に用いた素材画像をサーバＰＣ１１０に送信する。なお、ディスプレイ１０４に編集動画を表示する前に、ＣＰＵ１０５は、カメラ１００と連携するサーバＰＣ１１０が構成情報ファイルを用いた印刷に対応しているか否かを確認する。つまり、ＣＰＵ１０５はサーバＰＣ１１０の機能を確認することになる。
【０１０１】
図１６は、図１に示すカメラ１００で行われるサーバＰＣ１１０の機能を確認する確認処理を説明するためのフローチャートである。なお、図示のフローチャートに係る処理は、ディスプレイ１０４に編集動画を表示する前に行われる。
【０１０２】
確認処理を開始すると、ＣＰＵ１０５は、サーバＰＣ１１０が構成情報ファイルによって素材画像を印刷する機能（印刷機能）を有しているかを確認する（ステップＳ１６０１）。
【０１０３】
図１７は、図１６に示すサーバＰＣ１１０の印刷機能の確認処理を説明するための図である。
【０１０４】
ＣＰＵ１０５はｗｉｆｉカメラ接続モジュール１０３によってサーバＰＣ１１０に印刷機能（以下印刷能力ともいう）の確認を行う（ステップＳ１７０１）。そして、当該確認に応答して、サーバＰＣ１１０はカメラ１００に印刷能力の返答を行う（ステップＳ１７０２）。
【０１０５】
サーバＰＣ１１０から返答を受けると、ＣＰＵ１０５はサーバＰＣ１１０において動画の印刷が可能であると判定する（ステップＳ１７０３）。一方、カメラ１００から印刷能力の確認が行われた際に、サーバＰＣ１１０が停止している際に、ＣＰＵ１０５が印刷能力の確認を行うと（ステップＳ１７０４）、サーバＰＣ１１０からは返答がないので、ＣＰＵ１０５はサーバＰＣ１１０において印刷不可能であると判定する（ステップＳ１７０５）。
【０１０６】
再び図１６を参照して、ＣＰＵ１０５はサーバＰＣ１１０の印刷能力を確認できたか否かを判定する（ステップＳ１６０２）。サーバＰＣ１１０の印刷能力を確認できないと（ステップＳ１６０２において、ＮＯ）、ＣＰＵ１０５は印刷ボタン１５０１を非表示とする（ステップＳ１６０３）。そして、ＣＰＵ１０５はサーバＰＣ１１０の機能確認処理を終了する。
【０１０７】
印刷ボタン１５０１を非表示にすると、ディスプレイ１０４には、図１５（ｂ）に示すように、動画像ファイル１４０１に応じた編集動画と戻るボタン１００４とが表示される。
【０１０８】
サーバＰＣ１１０の印刷能力を確認できると（ステップＳ１６０２において、ＹＥＳ）、ＣＰＵ１０５は、サーバＰＣ１１０が静止画を印刷する際に必要な最小の画像サイズを確認する（ステップＳ１５０４）。
【０１０９】
図１８は、図１６に示すサーバＰＣ１１０で必要な最小画像サイズの確認処理を説明するための図である。
【０１１０】
最小画像サイズの確認処理を開始すると、ＣＰＵ１０５はｗｉｆｉ接続モジュール１０３を介してサーバＰＣ１１０に対して印刷に必要な最小画像サイズを問い合わせる（ステップＳ１８０１）。サーバＰＣ１１０は、当該問い合わせに応答してカメラ１００に対して最小画像サイズに関する返答を送る（ステップＳ１８０２）。
【０１１１】
ＣＰＵ１０５は返答による最小画像サイズに応じて、サーバＰＣ１１０にアップロードする画像（素材画像）を最小画像サイズ（印刷可能な画像サイズ）に縮小して（ステップＳ１８０３）、サーバＰＣ１１０にアップロードする（ステップＳ１８０４）。そして、ＣＰＵ１０５はサーバＰＣ１１０の機能確認処理を終了する。
【０１１２】
図１９は、図１に示すカメラ１００で行われる印刷処理手続きの一例を説明するためのフローチャートである。
【０１１３】
いま、図１５（ａ）に示す印刷ボタン１５０１が押下げられると、ＣＰＵ１０５は、図１５（ｃ）に示すメールアドレス画面をディスプレイ１０４に表示する（ステップＳ１９０１）。これによって、ＣＰＵ１０５はユーザーに対してメールアドレスの入力を促す。メールアドレスの入力は、サーバＰＣ１１０による印刷レイアウトデータの完了をユーザーに通知するために行われる。
【０１１４】
メールアドレス画面において、メールアドレス入力欄１５０３にメールアドレスを入力して、ユーザーが決定ボタン１５０４を押し下げると、メールアドレスの入力が完了する。メールアドレスの入力が完了すると、ＣＰＵ１０５は、印刷が決定された編集動画に対応する構成情報ファイルを特定する（ステップＳ１９０２）。
【０１１５】
ここでは、動画像ファイル１４０１について印刷を行うので、ＣＰＵ１０５は動画像ファイル１４０１に対応する構成情報ファイル１４０２をＳＤカード１０１で特定する。つまり、ＣＰＵ１０５は動画像ファイル１４０１と同一の階層に存在し、拡張子を除くファイル名が同一のファイルを構成情報ファイル１４０２として特定することになる。
【０１１６】
続いて、ＣＰＵ１０５は構成情報ファイル１４０２を参照して、動画像ファイル１４０１で用いられた素材画像を特定する（ステップＳ１９０３）。素材画像の特定が完了すると、ＣＰＵ１０５は素材画像から印刷用画像を生成する（ステップＳ１９０４）。
【０１１７】
ここでは、ＣＰＵ１０５は素材画像に動画が含まれていれば、当該動画について印刷用の静止画を３枚生成する。そして、ＣＰＵ１０５は当該静止画を元の動画が存在する階層に保存する。静止画を保存する際、ＣＰＵ１０５はそのファイル名として元の動画のファイル名の後にアンダーバと切り出し番号を付けたものを用いるとともに、拡張子をＪＰＧとする。
【０１１８】
例えば、図１４に示す例においては、ファイル名ＭＯＶ＿０００６．ＭＰ４の動画２０７から静止画１４０４、１４０５、および静止画１４０６を生成している。そして、静止画１４０４、１４０５、１４０６のファイル名は、それぞれＭＯＶ＿０００６＿１．ＪＰＧ、ＭＯＶ＿０００６＿２．ＪＰＧ、およびＭＯＶ＿０００６＿３．ＪＰＧとされる。
【０１１９】
なお、サーバＰＣ１１０から最小画像サイズを得て、素材画像のサイズが最小画像サイズよりも大きい場合には、ＣＰＵ１０５は素材画像のサイズを最小画像サイズに縮小する。
【０１２０】
続いて、ＣＰＵ１０５は構成情報ファイル１４０２を印刷用画像に応じて修正して、送信用構成情報ファイル１４０３を生成する。この送信用構成情報ファイル１４０３は構成情報ファイル１４０２と同一の階層に格納される。この際、ＣＰＵ１０５は送信用構成情報ファイル１４０３のファイル名を、構成情報ファイル１４０２のファイル名の接頭文字であるＮＥＷをＰＲＴに変更する。
【０１２１】
次に、ＣＰＵ１０５は、印刷決定された動画像ファイル１４０１に対応する送信用構成情報ファイル１４０３、送信用構成情報ファイル１４０３に対応する印刷用画像、およびメールアドレスをサーバＰＣ１１０に送信する（ステップＳ１９０６）。そして、ＣＰＵ１０５は印刷処理手続きを終了する。
【０１２２】
図２０は、図１に示すサーバＰＣ１１０で行われる印刷処理を説明するためのフローチャートである。なお、図示のフローチャートに係る処理は、ＣＰＵ１１４の制御下で行われる。
【０１２３】
サーバＰＣ１１０において、ＣＰＵ１１４は送信用構成情報ファイル１４０３、印刷用画像２０１、２０２、２０３、２０４、２０５、２０６、２０８、１４０４、１４０５、および１４０６、およびメールアドレスを受信する（ステップＳ２００１）。
【０１２４】
図２１は、図１に示すサーバＰＣ１１０が受信する送信用構成情報ファイルを示す図である。
【０１２５】
図２１において、送信用構成情報ファイルは、図９に示す構成情報ファイルとは、画像１３が異なっている。つまり、図９に示す構成情報ファイルにおいては、画像１３のファイル名はＭＯＶ＿０００６．ＭＰ４であるが。送信用構成情報ファイルにおいては画像１３のファイル名２１０１は、ＭＯＶ＿０００６＿１．ＪＰＧ、ＭＯＶ＿０００６＿２．ＪＰＧ、およびＭＯＶ＿０００６＿３．ＪＰＧとなっている。これは、前述のように、動画については印刷用の静止画を３枚生成した結果、ファイル名２１０１は図２１に示すようになる。
【０１２６】
図２２は、図１に示すサーバＰＣ１１０で受信された送信用構成情報ファイル、印刷用画像、およびメールアドレスの登録先の一例を示す図である。
【０１２７】
ＣＰＵ１１４は、送信用構成情報ファイル、印刷用画像、およびメールアドレスをＨＤＤ１１１に保存する。ここでは、送信用構成情報ファイルおよび印刷用画像はそれぞれ送信用構成情報ファイル１４０３ａおよび印刷用画像２０１ａ〜２０４ａ、２０８ａ、２０６ａ、および２０５ａとしてＨＤＤ１１１に保存される。
【０１２８】
この際、メールアドレスはアドレスファイル２２０２に記載されてファイルとしてＨＤＤ１１１に保存される。また、印刷用画像に動画が含まれていると、ＣＰＵ１１４は当該動画を分割後の再生時間が同一となるように３つに分ける。そして、ＣＰＵ１１４は最初のフレームを静止画として切り出して、送信用更新情報ファイルにおける当該動画の部分を修正する。さらに、ＣＰＵ１１４は動画像ファイルの代わりに３つの静止画を保存することになる。
【０１２９】
再び図２０を参照して、ＣＰＵ１１４は送信用構成情報ファイル１４０３ａを解析して、ユーザーが印刷を指示した動画がどのように構成されていたかについて確認する（ステップＳ２００２）。その後、ＣＰＵ１１４は印刷用画像の各々についてその印刷レイアウト（つまり、ページレイアウト）を決定する（ステップＳ２００３）。
【０１３０】
図２３は、図２０に示す印刷レイアウトの決定処理の一例を説明するための図である。
【０１３１】
印刷レイアウト決定処理を開始すると、ＣＰＵ１１４は送信用構成情報ファイルに基づいて、素材画像に対して用いた効果情報を読み出す。そして、ＣＰＵ１１４は当該効果情報に対応するページレイアウト（以下単にレイアウトともいう）が存在するか否かを確認する（ステップＳ２３０１）。
【０１３２】
ＨＤＤ１１１には、図２２に示すように、レイアウトの存在の有無を示す印刷レイアウト定義ファイル（ｌａｙｏｕｔ．ｄａｔ）２２０１が保存されている。ＣＰＵ１１４は印刷レイアウト定義ファイル２２０１を参照して、効果情報に対応する印刷レイアウトを決定する。
【０１３３】
図２４は、図２２に示す印刷レイアウト定義ファイル２２０１の一例についてその構成を示す図である。
【０１３４】
レイアウト名２４０１には、印刷レイアウトの名称が記載されている。そして、レイアウト名毎についてその詳細が規定されている。ページ数２４０２には、各レイアウト名で用いられるページ数が規定されている。対応効果２４０３には、印刷指定される動画における効果種別の名称が規定されている。送信用構成情報ファイル１４０３ａに規定された効果名と対応効果２４０３の効果名とを比較して、一致する効果用の印刷レイアウトが特定される。
【０１３５】
表示文字列２４０４には各レイアウトで表示する文字列が規定されている。レイアウト仕様２４０５には、各レイアウトにおいて画像および文字列をどのように配置するかについて規定されている。
【０１３６】
図２５は、図１に示すサーバＰＣ１１０で行われる印刷レイアウト処理を説明するための図である。そして、図２５（ａ）は表紙レイアウトを示す図であり、図２５（ｂ）はタイトル効果レイアウトを示す図である。また、図２５（ｃ）は静止画効果レイアウトおよび動画効果レイアウトを示す図であり、図２５（ｄ）は連写効果レイアウトを示す図である。さらに、図２５（ｅ）はカメラマン紹介効果レイアウトを示す図であり、図２５（ｆ）はキメ画像効果レイアウトを示す図である。
【０１３７】
ここでは、送信用構成情報ファイル１４０３ａにおいてタイトル効果に用いられた画像を印刷する際、印刷レイアウト定義ファイル２２０１から表紙レイアウトが選択される。印刷の際には１ページが用いられて、画像およびタイトル効果を表示する文字列を用いる。そして、用紙において画像を左側に配置し、画像の右側に文字列を配置する。これによって、表紙レイアウトは、例えば、図２５（ａ）で示すレイアウトとなる。
【０１３８】
また、フラッシュ効果に用いられた画像を印刷する際、印刷レイアウト定義ファイル２２０１からフラッシュレイアウトが選択される。印刷の際には２ページが用いられて、複数枚の画像が印刷される。この際には、文字列は印刷されない。そして、２ページの用紙において画像がランダムに配置される。これによって、フラッシュレイアウトは、例えば、図２５（ｂ）で示すレイアウトとなる。
【０１３９】
連写効果（表示切り替え効果）で用いられる画像を印刷する際には、印刷レイアウト定義ファイル２２０１から連写レイアウトが選択される。印刷の際には２ページが用いられて、複数枚の画像が印刷される。この際には、文字列は印刷されない。そして、２ページの用紙において画像が撮影順に並べて配置される。これによって、連写効果レイアウトは、例えば、図２５（ｄ）で示すレイアウトとなる。
【０１４０】
図２５（ｄ）に示す例では、一連の連写画像として４枚の画像が用いられている。そして、一連の連写画像において最後に撮影された画像が画像枠２５０３で示すように見開きページの中央の下部に配置される。また、最後に撮影された画像以外の画像は、画像枠２５０７で示すように、見開きページの上部に所定の方向に並べて配置される。
【０１４１】
静止画効果で用いられる画像を印刷する際には、印刷レイアウト定義ファイル２２０１から静止画レイアウトが選択される。印刷の際には１ページが用いられて、１枚の画像が印刷される。この際には、文字列は印刷されない。そして、１ページの用紙において画像は中央に配置される。これによって、静止画効果レイアウトは、例えば、図２５（ｃ）に画像枠２５０２で示すレイアウトとなる。
【０１４２】
キメ画像効果（強調表示効果）で用いられる画像を印刷する際には、印刷レイアウト定義ファイル２２０１からキメ画像レイアウトが選択される。印刷の際には見開きの２ページが用いられて、１枚の画像が印刷される。この際には、文字列は印刷されない。これによって、キメ画像効果レイアウトは、例えば、図２５（ｆ）に画像枠２５０６で示すレイアウトとなる。
【０１４３】
カメラマン紹介効果（撮影者紹介効果）で用いられる画像を印刷する際には、印刷レイアウト定義ファイル２２０１からカメラマン紹介レイアウトが選択される。印刷の際には１ページが用いられて、１枚の画像および文字列が印刷される。これによって、カメラマン紹介効果レイアウトは、例えば、図２５（ｅ）に画像枠２５０４および文字列２５０５で示すレイアウトとなる。
【０１４４】
動画効果で用いられる画像を印刷する際には、印刷レイアウト定義ファイル２２０１から動画レイアウトが選択される。印刷の際には１ページが用いられて、動画を構成する複数枚の静止画が印刷される。この際には、文字列は印刷されない。そして、１ページの用紙において複数枚の画像が撮影順に縦方向に配置される。これによって、動画効果レイアウトは、例えば、図２５（ｃ）に画像枠２５０１で示すレイアウトとなる。
【０１４５】
再び図２３を参照して、ＣＰＵ１１４は印刷レイアウト定義ファイル２２０１に対応するレイアウトが存在するか否かを判定する（ステップＳ２３０２）。対応するレイアウトが存在しないと（ステップＳ２３０２において、ＮＯ）、ＣＰＵ１１４は静止画用のレイアウトを用いる（ステップＳ２３０３）。
【０１４６】
対応するレイアウトが存在すると（ステップＳ２３０２において、ＹＥＳ）、ＣＰＵ１１４は当該レイアウトで規定された画像の枚数に印刷用画像の枚数が収まっているかを確認する（ステップＳ２３０４）。なお、画像上限枚数については、印刷レイアウト定義ファイル２２０１において画像上限２４０６に規定されている。
【０１４７】
その後、ＣＰＵ１１４は、対応するレイアウトで規定された画像の枚数（画像上限枚数）に印刷用画像の枚数が収まっているか否かを判定する（ステップＳ２３０５）。対応するレイアウトで規定された画像の枚数に印刷用画像の枚数が収まっていないと（ステップＳ２３０５において、ＮＯ）、ＣＰＵ１１４は、印刷用画像の全てが配置できるように、対応するレイアウトで必要な印刷用ページの数を整数倍する（ステップＳ２３０６）。つまり、ＣＰＵ１１４は、レイアウトにおけるページ数を増やして、１ページ当たりの素材画像の枚数を画像上限枚数以下とすることになる。
【０１４８】
一方、対応するレイアウトで規定された画像の枚数に印刷用画像の枚数が収まっていると（ステップＳ２３０５において、ＹＥＳ）、ＣＰＵ１１４は、対応するレイアウトで必要な印刷用ページを確保する（ステップＳ２３０７）。
【０１４９】
ステップＳ２３０３、Ｓ２３０６、又はＳ２３０７の処理の後、ＣＰＵ１１４は全ての効果についてレイアウトが決定したか否かを判定する（ステップＳ２３０８）。全ての効果についてレイアウトが決定すると（ステップＳ２３０８において、ＹＥＳ）、ＣＰＵ１１４は印刷レイアウト決定処理を終了する。
【０１５０】
一方、全ての効果についてレイアウトが決定していない（ステップＳ２３０８において、ＮＯ）、ＣＰＵ１１４は未決定の効果を対象とする（ステップＳ２３０９）。そして、ＣＰＵ１１４はステップＳ２３０１の処理に戻る。なお、効果種別が同一であっても、撮影時間又は撮影対象が大きく相違して、別のグループとして送信用構成情報ファイルに規定されている場合にはグループ単位でレイアウトが決定される。
【０１５１】
再び図２０を参照して、上述のようにして、印刷レイアウト決定処理が終了すると、ＣＰＵ１１４は印刷に用いる画像を特定する（ステップＳ２００４）。なお、印刷に用いる画像は送信用構成情報ファイル１４０３ａに規定されている。そして、印刷に用いる画像は送信用構成情報ファイル１４０３ａと同一の階層に保存されている。
【０１５２】
続いて、ＣＰＵ１４は、送信用構成情報ファイル１４０３ａを参照して、素材画像が動画においてスクロール表示されているか否かを判定する（ステップＳ２００５）。素材画像がスクロール表示されていないと（ステップＳ２００５において、ＮＯ）、ＣＰＵ１１４は素材画像の全体を印刷範囲とする（ステップＳ２２０６）。
【０１５３】
一方、素材画像がスクロール表示されていると（ステップＳ２００５において、ＹＥＳ）、ＣＰＵ１１４は素材画像において動画で表示された部分のみを印刷範囲とする（ステップＳ２００７）。
【０１５４】
図２１に示すように、送信用構成情報ファイル１４０３ａには素材画像によってはスクロール表示範囲が規定されていることがある。例えば、図２１において画像１４にはスクロール位置９０１が指定されているので、画像１４を印刷する際には、素材画像全体を印刷範囲せずに、スクロール位置９０１で指定された範囲（つまり、表示範囲に対応する部分画像）のみが印刷範囲とされる。なお、決定した印刷レイアウトの範囲において印刷対象領域が最大サイズになるようにする。
【０１５５】
ステップＳ２００６又はＳ２００７の処理の後、ＣＰＵ１１４は送信用構成情報ファイル１４０３ａから文字列印刷を必要とするレイアウト用の文字列を取得する（ステップＳ２００８）。ここでは、送信用構成情報ファイルに１４０３ａを参照すると、タイトル効果が含まれることが分かるので、タイトル効果用のレイアウトであるタイトルレイアウトが用いられる。
【０１５６】
タイトルレイアウトにおいては、画像ととともに文字列が印刷されるので、ＣＰＵ１１４はタイトル効果において用いる文字列を送信用画像構成ファイル１４０３ａから取得する。ここでは、図９に示す文字列９０２がタイトルレイアウトの文字列として用いられる。
【０１５７】
続いて、ＣＰＵ１１４はカメラ１００に対して印刷準備完了を通知する（ステップＳ２００９）。この通知は、前述のステップＳ２００１で受信したメールアドレス宛てに行われる。
【０１５８】
印刷準備完了通知を行った後、ＣＰＵ１１４は印刷プレビューを準備する（ステップＳ２０１０）。この印刷プレビューは印刷を行うための印刷データであるとともに、ユーザーが印刷前に印刷結果を確認するために用いられる。ユーザーはカメラ１００において印刷準備完了通知を受けた後、カメラ１００を用いてサーバＰＣ１１１にＷｅｂブラウザによってアクセスする。これによって、ユーザーは印刷プレビュー確認画面を開くことができる。
【０１５９】
図２６は、図１に示すカメラ１００で閲覧可能な印刷プレビュー確認画面の一例を説明するための図である。そして、図２６（ａ）は印刷プレビュー確認画面の一例を示す図であり、図２６（ｂ）は編集画面の一例を示す図である。また、図２６（ｃ）はレイアウト切り替え画面の一例を示す図である。
【０１６０】
図２６（ａ）に示す印刷プレビュー確認画面には、戻すボタン１６０１および送るボタン２６０２が表示されており、戻すボタン２６０１の操作によってプレビューページが前のページに戻る。また、送るボタン２６０２の操作によってプレビューページが次のページに送られる。つまり、戻すボタン２６０１又は送るボタン２６０２の操作によって印刷プレビュー２６０３のページを変更することができる。
【０１６１】
さらに、印刷プレビュー確認画面には、注文ボタン２６０４が表示されており、ユーザーは印刷プレビュー２６０３を確認して満足すれば、注文ボタン２６０４を操作して印刷物を本として注文することができる。
【０１６２】
一方、印刷プレビュー２６０３を確認して印刷内容に変更を加えたい場合には、編集ボタン２６０５を操作して、ユーザーは編集を行うことができる。
【０１６３】
編集ボタン２６０５を押し下げると、カメラ１００においてディスプレイ１０４には図２６（ｂ）に示す編集画面が表示される。この編集画面には、編集完了ボタン２６１３が表示されており、ユーザーが編集を終えて、編集完了ボタン２６１３を押し下げると、ディスプレイ１０４には、編集後の印刷プレビュー確認画面が表示される（図２６（ａ）参照）。
【０１６４】
さらに、編集画面には、ストック画像欄２６１２が表示され、印刷プレビュー２６０３で用いられた画像以外の画像を用いる場合には、ユーザーはストック画像欄２６１２から画像を選択して印刷プレビュー２６０３にドロップすることができる。
【０１６５】
なお、ストック画像欄２６１２に並べられる画像は、例えば、以前にカメラ１００で動画印刷を行った際にサーバＰＣ１１０にアップロードした画像である。さらには、ストック画像欄２６１２に並べられる画像は、サーバＰＣ１１０以外のソーシャルネットワークサービスから取得した画像であってもよい。
【０１６６】
また、編集画面には、表示ページのレイアウトを変更するためのレイアウト変更ボタン２６１１が表示される。レイアウト変更ボタン２６１１を押し下げると、ディスプレイ１０４には、図２６（ｃ）に示す画面が表示される。
【０１６７】
図２６（ｃ）に示す画面において、ユーザーは別のレイアウトへの切り替えを指定することができる。ユーザーは切り替えるレイアウトを指定し、変更ボタン２６２１を押し下げる。これによって、印刷プレビュー２６０３において指定ページのレイアウトが切り替わる。
【０１６８】
切り替え前のレイアウトに対して、切り替え後のレイアウトの方が必要な画像枚数が多い場合には、ＣＰＵ１１４はＣＰＵ１０５によってストック画像欄２６１２から不足する画像を選択することをユーザーに指示する。一方、切り替え後のレイアウトの方が切り替え前のレイアウトよりも必要な画像枚数が少ない場合には、ＣＰＵ１１４は撮影日時に応じて（例えば、撮影日時順で）使用する画像を決定する。
【０１６９】
再び図２０を参照して、ユーザーに印刷プレビュー２５０３に提示した後、ＣＰＵ１１４はユーザーによる印刷確定を待つ。ユーザーが注文ボタン２６０４を押し下げて注文を確定すると、ＣＰＵ１１４は当該注文を受け付ける（ステップＳ２０１１）。その後、ＣＰＵ１１４はクレジットカード会社の決済ページに決済額などに係る決済情報を送る。そして、ＣＰＵ１１４はクレジットカード会社から決済完了通知を受けると、ＵＳＢ端子１１５を介してプリンタ１５０を制御して、注文に係る印刷を実行する（ステップＳ２０１２）。印刷が完了すると、ＣＰＵ１１４は印刷処理を終了する。
【０１７０】
なお、図１に示す例では、サーバＰＣ１１０とプリンタ１５０とがＵＳＢ端子１１５によって接続されているが、ネットワーク接続可能なプリンタであれば、プリンタとカメラ１００とによって直接的に動画印刷を行うようにしてもよい。つまり、図１に示す例では、カメラ１００が撮像装置であり、サーバＰＣ１１０およびプリンタ１５０が印刷制御装置であるが、ネットワーク接続可能なプリンタのみが印刷制御装置であってもよい。
【０１７１】
さらには、図１に示すスマートフォン１２０を撮像装置として、スマートフォン１２０から、カメラ１００と同様にして印刷用画像などをサーバＰＣ１１０に送るようにしてもよい。この際には、スマートフォン１２０はプリンタ１５０とは未接続である。
【０１７２】
また、スマートフォン１２０を印刷制御装置として用いて、カメラ１００からスマートフォン１２０に印刷用画像などを送るようにしてもよい。そして、スマートフォン１２０はサーバＰＣ１１０と同様にして、プリンタ１５０を用いて動画印刷を行うことになる。
【０１７３】
以上のように、本発明の実施の形態では、動画を用いて静止画印刷を行った場合においても、ユーザーは印刷で得られた静止画によって印刷元の動画で表現される内容を容易に把握することができる。
【０１７４】
上述の説明から明らかなように、図１に示す例では、カメラ１００が画像処理装置であり、ＣＰＵ１０５およびボタン１０６が指定手段として機能する。また、ＣＰＵ１０５は画像特定手段として機能し、ＣＰＵ１０５およびｗｉｆｉ接続モジュール１０３は送信手段として機能する。さらに、ＣＰＵ１０５は画像縮小手段、動画生成手段、構成情報生成手段、および記録手段として機能する。
【０１７５】
また、サーバＰＣ１１０は印刷制御装置であり、ＣＰＵ１１４およびＨＤＤ１１が格納手段として機能し、ＣＰＵ１１４はレイアウト決定手段および印刷データ生成手段として機能する。さらに、ＣＰＵ１１４およびＨＤＤ１１１は記憶手段として機能し、ＣＰＵ１１４およびネットワークボード１１３は、受信手段、通知手段、プレビュー送信手段、編集手段、および印刷制御手段として機能する。なお、印刷制御装置は、有線または無線のネットワークを介して遠隔に有るプリンタ１５０にプリントデータを送信し、印刷を指示するように構成しても良いし、プリンタ１５０を内蔵していても良い。
【０１７６】
以上、本発明について実施の形態に基づいて説明したが、本発明は、これらの実施の形態に限定されるものではなく、この発明の要旨を逸脱しない範囲の様々な形態も本発明に含まれる。
【０１７７】
例えば、上記の実施の形態の機能を制御方法として、この制御方法を画像処理装置又は印刷制御装置に実行させるようにすればよい。また、上述の実施の形態の機能を有するプログラムを制御プログラムとして、当該制御プログラムを画像処理装置又は印刷制御装置が備えるコンピュータに実行させるようにしてもよい。なお、制御プログラムは、例えば、コンピュータに読み取り可能な記録媒体に記録される。
【０１７８】
また、本発明は、以下の処理を実行することによっても実現される。つまり、上述した実施形態の機能を実現するソフトウェア（プログラム）を、ネットワーク又は各種の記録媒体を介してシステム或いは装置に供給し、そのシステム或いは装置のコンピュータ（またはＣＰＵやＭＰＵなど）がプログラムを読み出して実行する処理である。
【符号の説明】
【０１７９】
１００  カメラ
１０１  ＳＤカード
１０３，１２３  ｗｉｆｉ接続モジュール
１０４  ディスプレイ
１０５，１１４，１２２  ＣＰＵ
１１０  サーバＰＣ
１１３  ネットワークボード
１２０  スマートフォン
１２４  タッチパネル
１５０  プリンタ
【図１】
2016081221.tif 000003
【図２】
2016081221.tif 000004
【図３】
2016081221.tif 000005
【図４】
2016081221.tif 000006
【図５】
2016081221.tif 000007
【図６】
2016081221.tif 000008
【図７】
2016081221.tif 000009
【図８】
2016081221.tif 000010
【図９】
2016081221.tif 000011
【図１０】
2016081221.tif 000012
【図１１】
2016081221.tif 000013
【図１２】
2016081221.tif 000014
【図１３】
2016081221.tif 000015
【図１４】
2016081221.tif 000016
【図１５】
2016081221.tif 000017
【図１６】
2016081221.tif 000018
【図１７】
2016081221.tif 000019
【図１８】
2016081221.tif 000020
【図１９】
2016081221.tif 000021
【図２０】
2016081221.tif 000022
【図２１】
2016081221.tif 000023
【図２２】
2016081221.tif 000024
【図２３】
2016081221.tif 000025
【図２４】
2016081221.tif 000026
【図２５】
2016081221.tif 000027
【図２６】
2016081221.tif 000028